(57)【要約】【課題】電子機器に接続可能な各拡張ユニットの故障検出プログラムを格納しておく必要がなく、故障した拡張ユニットを容易に特定することが可能な電子機器、電子機器の制御方法、および電子機器の制御プログラムを提供する。【解決手段】実施形態によれば、機能拡張用の拡張ユニットを複数接続可能な電子機器であって、前記拡張ユニットから映像信号を受信し、所定の処理を施して表示部に出力する映像処理部と、前記拡張ユニットに格納された前記拡張ユニット用の故障検出プログラム、または外部から取得された前記拡張ユニット用の故障検出プログラムを実行した結果である前記拡張ユニットの故障診断結果を出力する制御部とを備える電子機器が提供される。【選択図】図１
2015022435.tif 000002
【特許請求の範囲】
【請求項１】
機能拡張用の拡張ユニットを複数接続可能な電子機器であって、
前記拡張ユニットから映像信号を受信し、所定の処理を施して表示部に出力する映像処理部と、
前記拡張ユニットに格納された前記拡張ユニット用の故障検出プログラム、または外部から取得された前記拡張ユニット用の故障検出プログラムを実行した結果である前記拡張ユニットの故障診断結果を出力する制御部と、
を備える電子機器。
【請求項２】
前記制御部は、診断対象の前記拡張ユニットに対して、前記拡張ユニットに格納された前記故障検出プログラムの実行を指示し、前記拡張ユニットから前記故障診断結果を受信する、請求項１に記載の電子機器。
【請求項３】
前記故障検出プログラムを格納したサーバとネットワークを介して通信可能な通信部をさらに備え、
前記制御部は、前記通信部を介して診断対象の前記拡張ユニット用の故障検出プログラムを、前記サーバから前記拡張ユニットにダウンロードし、前記拡張ユニットに対して前記故障検出プログラムの実行を指示し、前記拡張ユニットから前記故障診断結果を受信する、請求項１に記載の電子機器。
【請求項４】
放送波を受信する受信部をさらに備え、
前記制御部は、前記受信部により受信した放送波に含まれる診断対象の前記拡張ユニットの故障検出プログラムを、前記拡張ユニットに格納し、前記拡張ユニットに対して前記故障検出プログラムの実行を指示し、前記拡張ユニットから前記故障診断結果を受信する、請求項１に記載の電子機器。
【請求項５】
前記制御部は、診断対象の前記拡張ユニットに格納された前記故障検出プログラムを取得して実行する、請求項１に記載の電子機器。
【請求項６】
前記故障検出プログラムを格納したサーバとネットワークを介して通信可能な通信部をさらに備え、
前記制御部は、前記通信部を介して前記サーバから、診断対象の前記拡張ユニット用の故障検出プログラムを取得して実行する、請求項１に記載の電子機器。
【請求項７】
放送波を受信する受信部をさらに備え、
前記制御部は、前記受信部により受信した放送波に含まれる診断対象の前記拡張ユニットの故障検出プログラムを取得して実行する、請求項１に記載の電子機器。
【請求項８】
前記制御部は、前記映像処理部を介して前記故障診断結果を前記表示部に出力する、請求項１〜７のいずれかに記載の電子機器。
【請求項９】
前記制御部は、前記故障診断結果を音声出力部に出力する、請求項１〜８のいずれかに記載の電子機器。
【請求項１０】
前記制御部は、ネットワーク経由で前記故障診断結果をユーザサポートセンターに通知する、請求項１〜９のいずれかに記載の電子機器。
【請求項１１】
前記拡張ユニットは、チューナー、映像再生機、録画用ハードディスクドライブ、または高画質化ユニットである、請求項１〜１０のいずれかに記載の電子機器。
【請求項１２】
電子機器に接続された拡張ユニットを識別するステップと、
前記拡張ユニットに格納された前記拡張ユニット用の故障検出プログラム、または外部から取得された前記拡張ユニット用の故障検出プログラムを実行するステップと、
前記故障検出プログラムを実行した結果である前記拡張ユニットの故障診断結果を出力するステップと、
を備える電子機器の制御方法。
【請求項１３】
電子機器に接続された拡張ユニットを識別するステップと、
前記拡張ユニットに格納された前記拡張ユニット用の故障検出プログラム、または外部から取得された前記拡張ユニット用の故障検出プログラムを実行するステップと、
前記故障検出プログラムを実行した結果である前記拡張ユニットの故障診断結果を出力するステップと、
をコンピュータに実行させる電子機器の制御プログラム。
【発明の詳細な説明】
【技術分野】
【０００１】
本発明の実施形態は、電子機器、電子機器の制御方法、および電子機器の制御プログラムに関する。
【背景技術】
【０００２】
テレビ等の映像を表示する電子機器として、拡張ユニットを接続することにより電子機器の機能を拡張するものが検討されている。電子機器には様々な機能の拡張ユニットが接続される可能性がある。このため、ある拡張ユニットが故障してユーザの意図通りに使用できなくなった場合に、故障した拡張ユニットを特定することが困難になるおそれがある。
【０００３】
また、電子機器に接続可能な拡張ユニットは多種類に上る可能性があるため、各拡張ユニットの故障検出プログラムを電子機器に格納しておくことは実際上困難である。
【先行技術文献】
【特許文献】
【０００４】
【特許文献１】特開２００４−２４６４２１号公報
【発明の概要】
【発明が解決しようとする課題】
【０００５】
本発明が解決しようとする課題は、電子機器に接続可能な各拡張ユニットの故障検出プログラムを格納しておく必要がなく、故障した拡張ユニットを容易に特定することが可能な電子機器、電子機器の制御方法、および電子機器の制御プログラムを提供することである。
【課題を解決するための手段】
【０００６】
実施形態によれば、機能拡張用の拡張ユニットを複数接続可能な電子機器であって、前記拡張ユニットから映像信号を受信し、所定の処理を施して表示部に出力する映像処理部と、前記拡張ユニットに格納された前記拡張ユニット用の故障検出プログラム、または外部から取得された前記拡張ユニット用の故障検出プログラムを実行した結果である前記拡張ユニットの故障診断結果を出力する制御部とを備える電子機器が提供される。
【図面の簡単な説明】
【０００７】
【図１】本発明の一実施形態に係る電子機器１の概略的な構成、および電子機器１に接続された拡張ユニット２１，２２，２３を示す図である。
【図２】電子機器１、並びに、いずれもネットワークを介して電子機器１に接続されたサーバ３１およびユーザサポートセンター３２を示す図である。
【図３】電子機器１の制御方法を説明するためのフローチャートである。
【図４】拡張ユニットの接続状態を示す画面表示の一例である。
【図５】拡張ユニットの故障診断結果を示す画面表示の一例である。
【発明を実施するための形態】
【０００８】
以下、本発明の実施形態について図面を参照しながら具体的に説明する。
【０００９】
（電子機器）
本発明の一実施形態に係る電子機器１について、図１および図２を参照して説明する。図１は、電子機器１の概略的な構成、および電子機器１に接続された３つの拡張ユニット２１，２２，２３を示している。図２は、電子機器１、並びに、いずれもネットワークを介して電子機器１に接続されたサーバ３１およびユーザサポートセンター３２を示している。
【００１０】
電子機器１は、機能拡張用の拡張ユニットを複数接続可能な電子機器であり、例えばテレビ等の映像表示装置である。なお、電子機器１は、テレビに限らず、タブレット端末、スマートフォン、パソコン等であってもよい。
【００１１】
図１に示す例では、３つの拡張ユニット２１，２２，２３が電子機器１に接続されている。拡張ユニット２１，２２，２３は、図１のように有線で電子機器１に接続される場合に限らず、無線により電子機器１に接続されてもよい。
【００１２】
また、電子機器１は、図２に示すように、ネットワークを介して、外部のサーバ３１やユーザサポートセンター３２に通信可能に接続されていてもよい。この場合、サーバ３１は、各拡張ユニット２１，２２，２３の故障検出プログラムを格納している。好ましくは、サーバ３１は、最新バージョンの故障検出プログラムを格納している。
【００１３】
拡張ユニット２１，２２，２３は、電子機器１（メインユニット１０）の機能を拡張するためのユニットである。例えば、拡張ユニット２１，２２，２３は、チューナー、ＢＤ（Blu-ray Disc（登録商標））プレーヤー等の映像再生機、録画用ハードディスクドライブ（ＨＤＤ）、または、入力映像を高画質化（例えば４Ｋ画像に変換）して出力する高画質化ユニットである。
【００１４】
上記の拡張ユニット２１，２２，２３は、電子機器１の接続部１５に着脱可能であるように構成されている。例えば、拡張ユニット２１，２２，２３は、カード型であり、カードスロッド状の接続部１５に装着されてもよい。あるいは、拡張ユニット２１，２２，２３は、接続部１５に装着される端子ケーブルを有し、該端子ケーブルを介して電子機器１に接続されてもよい。
【００１５】
なお、図１では電子機器１の３つの接続部１５の全てに拡張ユニットが接続されているが、接続部１５の全てに拡張ユニットが接続されていることは必須ではない。所望の機能を提供する拡張ユニットが電子機器１に接続されればよく、拡張ユニットが接続されていない接続部１５が存在してもよい。
【００１６】
また、製品の仕向け地の仕様に応じて電子機器１に拡張ユニットを接続してもよい。
【００１７】
また、拡張ユニット２１，２２，２３は、自身の故障を検出するための故障検出プログラムを格納するための記憶部（図示せず）や、当該故障検出プログラムを実行するマイクロプロセッサ等の処理部（図示せず）を有してもよい。
【００１８】
次に、電子機器１の構成について詳細に説明する。図１に示すように、電子機器１は、拡張ユニット２１，２２，２３との通信機能や映像処理機能等が実装されたメインユニット１０と、拡張ユニット２１，２２，２３を接続するための接続部１５と、メインユニット１０（映像処理部１１）により処理された映像を表示する表示部１８と、メインユニット１０から出力された音声信号に基づく音声を出力する音声出力部（スピーカ）１９とを備えている。
【００１９】
接続部１５は、例えば、ＵＳＢ（登録商標）ポート、ＨＤＭＩ（登録商標）端子、カードスロット等である。図１では、電子機器１は３つの接続部１５を有するが、接続部１５の数はこれに限るものではなく、任意の数を取りうる。
【００２０】
表示部１８は、液晶パネル、プラズマパネル、または有機ＥＬパネル等の映像表示デバイスである。
【００２１】
音声出力部１９は、制御部１２に接続され、表示部１８に表示される映像に伴う音声を出力する。また、音声出力部１９は、拡張ユニットの故障診断結果を音声で出力してもよい。
【００２２】
次に、メインユニット１０の構成について説明する。メインユニット１０は、映像処理部１１と、制御部１２と、通信部１３と、受信部１４とを有している。
【００２３】
映像処理部１１は、拡張ユニット２１，２２，２３または受信部１４から映像信号を受信し、所定の処理を施して表示部１８に出力する。ここで、所定の処理とは、映像処理部１１が受信した映像信号に基づく映像を表示部１８に表示するために必要な処理などである。
【００２４】
制御部１２は、電子機器１全体の制御を行うのに加え、電子機器１に接続された拡張ユニット２１，２２，２３を制御する機能も有する。制御部１２は、例えばマイクロプロセッサで構成される。
【００２５】
また、制御部１２は、拡張ユニット２１，２２，２３やサーバ３１等から取得した故障検出プログラムを格納するためのメモリを有してもよい。
【００２６】
制御部１２は、電子機器１に接続された拡張ユニット２１，２２，２３の故障診断結果を、映像処理部１１を介して表示部１８に出力する。ここで、故障診断結果は、拡張ユニット２１，２２，２３の各々に格納された当該拡張ユニット用の故障検出プログラム、または外部から取得された拡張ユニット２１，２２，２３用の故障検出プログラムを実行した結果である。
【００２７】
後ほど詳しく説明するように、故障検出プログラムは、制御部１２により実行されてもよいし、拡張ユニット２１，２２，２３により実行されてもよい。
【００２８】
なお、制御部１２は、拡張ユニット２１，２２，２３の故障診断結果を、表示部１８に代えて、あるいは表示部１８とともに、音声出力部１９に出力してもよい。これにより、高画質化ユニット等の拡張ユニットが故障して映像を全く表示できなくなった場合でも、ユーザに故障診断結果を伝えることができる。
【００２９】
また、制御部１２は、ネットワーク経由で故障診断結果をユーザサポートセンター３２に通知してもよい。これにより、ユーザからユーザサポートセンターに連絡せずとも、故障診断結果をユーザサポートセンターに知らせることができる。
【００３０】
通信部１３は、ネットワークに有線または無線により接続されており、ネットワークを介してサーバ３１やユーザサポートセンター３２と通信を行う。
【００３１】
受信部１４は、アンテナ等に接続され、放送波を受信する。受信部１４は、受信した放送波に含まれる映像信号を映像処理部１１に送信するとともに、放送波に含まれる各種データ（故障検出プログラム等）を制御部１２に送信する。
【００３２】
本実施形態では、拡張ユニット２１，２２，２３用の故障検出プログラムは拡張ユニット２１，２２，２３にそれぞれ格納されているか、あるいは外部（サーバ３１または放送波）から取得される。このため、電子機器１に各拡張ユニット２１，２２，２３の故障検出プログラムを格納しておく必要がない。
【００３３】
よって、電気機器１によれば、各拡張ユニット２１，２２，２３用の故障検出プログラムを格納するためのメモリを電子機器１内に設けることが不要となる。また、電子機器１が販売された後に開発・販売された拡張ユニットに対しても、故障診断を行うことができる。
【００３４】
さらに、電子機器１によれば、故障診断結果として、各拡張ユニット２１，２２，２３用の故障検出プログラムを実行した結果を出力するため、ユーザあるいはユーザサポートセンターは故障した拡張ユニットを容易に特定することができる。これにより、例えば、ユーザが特定された異常箇所についてユーザサポートセンターに連絡したり、故障診断された拡張ユニットのみを買い換えることが可能になる。その結果、ユーザの利便性を高めることができる。
【００３５】
拡張ユニットの故障検出プログラムは、電子機器１（制御部１２）が実行してもよいし、あるいは、各々の拡張ユニット２１，２２，２３が実行してもよい。また、故障検出プログラムは、前述のように、拡張ユニット２１，２２，２３に格納されてもよいし、あるいは、外部（サーバ３１、放送波）から取得されてもよい。よって、故障検出プログラムの実行主体（２種類）と故障検出プログラムの格納場所（３種類）の組み合わせから、以下の６つの実施例が考えられる。
【００３６】
実施例１〜実施例３は、拡張ユニット２１，２２，２３が故障検出プログラムを実行する場合の実施例であり、実施例４〜６は、電子機器１（制御部１２）が故障検出プログラムを実行する場合の実施例である。
【実施例１】
【００３７】
本実施例では、故障検出プログラムの実行主体は各拡張ユニット２１，２２，２３であり、故障検出プログラムは各拡張ユニット２１，２２，２３に格納されている。
【００３８】
この場合、制御部１２は、診断対象の拡張ユニット２１に対して、拡張ユニット２１に格納された故障検出プログラムの実行を指示する。その後、制御部１２は、拡張ユニット２１から故障診断結果を受信し、前述のように表示部１８等に出力する。
【００３９】
実施例１によれば、故障検出プログラムは拡張ユニットに格納され拡張ユニットにより実行されるため、迅速に故障検出プログラムの実行を開始することができる。
【００４０】
また、実施例１によれば、故障検出プログラムが拡張ユニットに格納されているため、電子機器１が放送波を受信できない場合やネットワーク接続されていない場合であっても、故障診断を行うことができる。
【実施例２】
【００４１】
本実施例では、故障検出プログラムの実行主体は各拡張ユニット２１，２２，２３であり、故障検出プログラムはサーバ３１に格納されている。
【００４２】
この場合、制御部１２は、通信部１３を介して、診断対象の拡張ユニット２１用の故障検出プログラムを、サーバ３１から拡張ユニット２１にダウンロードする。
【００４３】
なお、診断対象の拡張ユニット２１用の故障検出プログラムは、当該拡張ユニット２１の識別子（ＩＤ）を利用することにより取得してもよい。より詳しくは、制御部１２は、診断対象の拡張ユニットにアクセスして当該拡張ユニットに固有の識別子を取得し、その識別子を用いてサーバ３１から当該拡張ユニット用の故障検出プログラムをダウンロードするようにしてもよい。
【００４４】
サーバ３１から故障検出プログラムをダウンロードした後、制御部１２は、拡張ユニット２１に対して故障検出プログラムの実行を指示する。その後、制御部１２は、拡張ユニット２１から故障診断結果を受信し、前述のように表示部１８等に出力する。
【００４５】
実施例２によれば、故障検出プログラムを拡張ユニットに予め格納しておく必要がない。また、最新の故障検出プログラムを用いることが可能になるため、より正確な故障診断を実施することができる。
【実施例３】
【００４６】
本実施例では、故障検出プログラムの実行主体は各拡張ユニット２１，２２，２３であり、故障検出プログラムは放送波に含まれている。
【００４７】
この場合、制御部１２は、放送波に含まれる診断対象の拡張ユニット２１の故障検出プログラムを、拡張ユニット２１に格納する。
【００４８】
なお、診断対象の拡張ユニット用の故障検出プログラムは、当該拡張ユニットの識別子（ＩＤ）を利用することにより取得してもよい。より詳しくは、制御部１２は、診断対象の拡張ユニットにアクセスして当該拡張ユニットに固有の識別子を取得し、その識別子を用いて放送波から当該拡張ユニット用の故障検出プログラムを取り出すようにしてもよい。
【００４９】
故障検出プログラムを診断対象の拡張ユニットに格納した後、制御部１２は、拡張ユニット２１に対して故障検出プログラムの実行を指示する。その後、制御部１２は、拡張ユニット２１から故障診断結果を受信する。
【００５０】
実施例３によれば、故障検出プログラムを拡張ユニットに予め格納しておく必要がない。また、電子機器１がネットワーク接続されていない場合であっても、故障診断を行うことができる。さらに、最新の故障検出プログラムを用いることが可能になるため、より正確な故障診断を実施することができる。
【実施例４】
【００５１】
本実施例では、故障検出プログラムの実行主体は電子機器１であり、故障検出プログラムは各拡張ユニット２１，２２，２３に格納されている。
【００５２】
この場合、制御部１２は、診断対象の拡張ユニット２１に格納された故障検出プログラムを取得して実行する。
【００５３】
実施例４によれば、故障検出プログラムが拡張ユニットに格納されているため、電子機器１が放送波を受信できない場合やネットワーク接続されていない場合であっても、故障診断を行うことができる。
【実施例５】
【００５４】
本実施例では、故障検出プログラムの実行主体は電子機器１であり、故障検出プログラムはサーバ３１に格納されている。
【００５５】
この場合、制御部１２は、通信部１３を介してサーバ３１から、診断対象の拡張ユニット２１用の故障検出プログラムを取得して実行する。
【００５６】
実施例５によれば、故障検出プログラムを拡張ユニットに予め格納しておく必要がない。また、最新の故障検出プログラムを用いることが可能になるため、より正確な故障診断を実施することができる。
【実施例６】
【００５７】
本実施例では、故障検出プログラムの実行主体は電子機器１であり、故障検出プログラムは放送波に含まれている。
【００５８】
この場合、制御部１２は、受信部１４により受信した放送波に含まれる診断対象の拡張ユニット２１の故障検出プログラムを取得して実行する。
【００５９】
実施例６によれば、故障検出プログラムを拡張ユニットに予め格納しておく必要がない。また、最新の故障検出プログラムを用いることが可能になるため、より正確な故障診断を実施することができる。
【００６０】
なお、実施例４〜６において、故障検出プログラムは、制御部１２内のメモリに格納されてもよいし、あるいは、制御部１２の外部に設けられたメモリ（図示せず）に格納されてもよい。
【００６１】
（電子機器の制御方法）
次に、電子機器１の制御方法としての、拡張ユニット２１，２２，２３の故障検出方法について、図３のフローチャートに沿って説明する。なお、本故障検出方法は、ユーザからの指示を受けたとき、電子機器１の起動時、あるいは予め設定された時刻になったときなどに実施される。
【００６２】
まず、電子機器１に接続された拡張ユニット２１，２２，２３を識別する（ステップＳ１）。具体的には、制御部１２が拡張ユニット２１，２２，２３にアクセスし、拡張ユニット２１，２２，２３の識別子等の情報を取得する。そして、制御部１２は、所定のメモリ（制御部１２内のメモリ等）に識別結果を記録する。
【００６３】
なお、電子機器１に拡張ユニットを接続した時点で拡張ユニットの識別処理を行い、識別結果がメインユニット１０内に記録されている場合には、拡張ユニットへの通信確認のみを行うことにしてもよい。
【００６４】
また、拡張ユニットに格納された故障検出プログラムを電子機器１が実行する形態の場合には、本ステップにおいて、識別された拡張ユニットに格納された故障検出プログラムを電子機器１に格納しておいてもよい。
【００６５】
次に、識別された拡張ユニットを表示部１８に表示する（ステップＳ２）。図４は、拡張ユニットの接続状態を示す画面表示の一例である。図４の表示例は、スロット１およびスロット２に拡張ユニットが接続されていることを示している。
【００６６】
なお、電子機器１に拡張ユニットが接続されているにもかかわらず識別されない場合は、本ステップの時点で、接続部１５における接続不良の可能性、あるいは当該拡張ユニットが故障している可能性があることがわかる。
【００６７】
次に、ユニット数パラメータ（ｉ）をリセットする（ステップＳ３）。即ち、ユニット数パラメータ（ｉ）をゼロにする。
【００６８】
次に、ユニット数パラメータ（ｉ）がステップＳ１で識別された拡張ユニットの数に等しいか否かを判断する（ステップＳ４）。ユニット数パラメータ（ｉ）が拡張ユニット数に等しい場合は、識別された全ての拡張ユニットについて故障診断を実施したので故障診断フローを終了する。一方、ユニット数パラメータ（ｉ）が拡張ユニット数に等しくない場合は、ステップＳ５に進み、次の拡張ユニットについて故障診断を実施する。
【００６９】
ステップＳ５では、診断対象の拡張ユニット用の故障検出プログラムを実行する。故障検出プログラムは、拡張ユニットに格納された当該拡張ユニット用の故障検出プログラム、または外部（サーバ３１または放送波）から取得され故障検出プログラムである。
【００７０】
なお、故障検出プログラムの実行は、前述のように、電子機器１（制御部１２）で行ってもよいし、診断対象の拡張ユニットで行ってもよい。電子機器１が故障検出プログラムを実行する場合は、診断対象の拡張ユニット用の故障検出プログラムを電子機器１内のメモリ（制御部１２内のメモリ等）に格納してから、その故障検出プログラムを実行する。
【００７１】
故障検出プログラムの実行後、拡張ユニットの故障診断結果を出力する（ステップＳ６）。制御部１２は、表示部１８、音声出力部１９およびユーザサポートセンター３２のうち少なくともいずれかに故障診断結果を出力する。例えば、診断結果をユーザサポートセンター３２に出力することで、ユーザがユーザサポートセンター３２に問い合わせせずとも、故障に対する具体的な対応方法などをユーザに連絡することができる。
【００７２】
図５は、故障診断結果を示す画面表示の一例である。この表示例では、スロット１に接続された拡張ユニットの診断結果が表示されている。なお、図５に示すように、拡張ユニットが複数の機能を有する場合は、拡張ユニットの機能（ＡＡＡ，ＢＢＢ，ＣＣＣ）ごとに診断結果を表示してもよい。診断対象の拡張ユニットに固有の故障検出プログラムを実行することで、このように、拡張ユニットの詳細な機能まで診断することができる。
【００７３】
なお、検出された異常が拡張ユニットのソフトウェアに起因する場合には、電子機器１は、サーバ３１あるいは放送波から、当該異常に対処した更新ソフトウェアを取得して、拡張ユニットに格納するようにしてもよい。
【００７４】
診断結果を出力した後、ユニット数パラメータ（ｉ）を１つ増加させ、ステップＳ４に戻る（ステップＳ７）。このようにして、ステップＳ１で識別された拡張ユニットに対して故障診断を順次行い、その結果を表示部１８等に出力する。
【００７５】
上述した実施形態で説明した電子機器１の少なくとも一部（制御部１２など）は、ハードウェアで構成してもよいし、ソフトウェアで構成してもよい。ソフトウェアで構成する場合には、電子機器１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７６】
また、電子機器１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００７８】
例として、以下のような態様が想到される。
【００７９】
（付記１）
機能拡張用の拡張ユニット（２１，２２，２３）を複数接続可能な電子機器（１）であって、
前記拡張ユニット（２１，２２，２３）から映像信号を受信し、所定の処理を施して表示部（１８）に出力する映像処理部（１１）と、
前記拡張ユニット（２１，２２，２３）に格納された前記拡張ユニット（２１，２２，２３）用の故障検出プログラム、または外部から取得された前記拡張ユニット（２１，２２，２３）用の故障検出プログラムを実行した結果である前記拡張ユニット（２１，２２，２３）の故障診断結果を出力する制御部（１２）と、を備える電子機器（１）。
【００８０】
（付記２）
前記制御部（１２）は、診断対象の前記拡張ユニット（２１）に対して、前記拡張ユニット（２１）に格納された前記故障検出プログラムの実行を指示し、前記拡張ユニット（２１）から前記故障診断結果を受信する、付記１に記載の電子機器（１）。
【００８１】
（付記３）
前記故障検出プログラムを格納したサーバ（３１）とネットワークを介して通信可能な通信部（１３）をさらに備え、
前記制御部（１２）は、前記通信部（１３）を介して診断対象の前記拡張ユニット（２１）用の故障検出プログラムを、前記サーバ（３１）から前記拡張ユニット（２１）にダウンロードし、前記拡張ユニット（２１）に対して前記故障検出プログラムの実行を指示し、前記拡張ユニット（２１）から前記故障診断結果を受信する、付記１に記載の電子機器（１）。
【００８２】
（付記４）
放送波を受信する受信部（１４）をさらに備え、
前記制御部（１２）は、前記受信部（１４）により受信した放送波に含まれる診断対象の前記拡張ユニットの故障検出プログラムを、前記拡張ユニット（２１）に格納し、前記拡張ユニット（２１）に対して前記故障検出プログラムの実行を指示し、前記拡張ユニット（２１）から前記故障診断結果を受信する、付記１に記載の電子機器（１）。
【００８３】
（付記５）
前記制御部（１２）は、診断対象の前記拡張ユニット（２１）に格納された前記故障検出プログラムを取得して実行する、付記１に記載の電子機器（１）。
【００８４】
（付記６）
前記故障検出プログラムを格納したサーバ（３１）とネットワークを介して通信可能な通信部（１３）をさらに備え、
前記制御部（１２）は、前記通信部（１３）を介して前記サーバ（３１）から、診断対象の前記拡張ユニット（２１）用の故障検出プログラムを取得して実行する、付記１に記載の電子機器（１）。
【００８５】
（付記７）
放送波を受信する受信部（１４）をさらに備え、
前記制御部（１２）は、前記受信部（１４）により受信した放送波に含まれる診断対象の前記拡張ユニットの故障検出プログラムを取得して実行する、付記１に記載の電子機器（１）。
【００８６】
（付記８）
前記制御部（１２）は、前記映像処理部（１１）を介して前記故障診断結果を前記表示部（１８）に出力する、付記１に記載の電子機器（１）。
【００８７】
（付記９）
前記制御部（１２）は、前記故障診断結果を音声出力部（１９）に出力する、付記１に記載の電子機器（１）。
【００８８】
（付記１０）
前記制御部（１２）は、ネットワーク経由で前記故障診断結果をユーザサポートセンター（３１）に通知する、付記１に記載の電子機器（１）。
【００８９】
（付記１１）
前記拡張ユニット（２１）は、チューナー、映像再生機、録画用ハードディスクドライブ、または高画質化ユニットである、付記１に記載の電子機器（１）。
【００９０】
（付記１２）
電子機器（１）に接続された拡張ユニット（２１，２２，２３）を識別するステップと、
前記拡張ユニット（２１，２２，２３）に格納された前記拡張ユニット（２１，２２，２３）用の故障検出プログラム、または外部から取得された前記拡張ユニット（２１，２２，２３）用の故障検出プログラムを実行するステップと、
前記故障検出プログラムを実行した結果である前記拡張ユニット（２１）の故障診断結果を出力するステップと、を備える電子機器（１）の制御方法。
【００９１】
（付記１３）
前記電子機器（１）とネットワーク接続されたサーバ（３１）から前記故障検出プログラムを取得する、付記１２に記載の電子機器（１）の制御方法。
【００９２】
（付記１４）
前記電子機器（１）が受信した放送波から前記故障検出プログラムを取得する、付記１２に記載の電子機器（１）の制御方法。
【００９３】
（付記１５）
前記故障診断結果を、前記電子機器（１）の表示部（１８）、前記電子機器（１）の音声出力部（１９）、および前記電子機器（１）にネットワーク接続されたユーザサポートセンター（３２）のうち少なくともいずれかに出力する、付記１２に記載の電子機器（１）の制御方法。
【００９４】
（付記１６）
前記拡張ユニット（２１）は、チューナー、映像再生機、録画用ハードディスクドライブ、または高画質化ユニットである、付記１２に記載の電子機器（１）の制御方法。
【００９５】
（付記１７）
電子機器（１）に接続された拡張ユニット（２１）を識別するステップと、
前記拡張ユニット（２１）に格納された前記拡張ユニット（２１）用の故障検出プログラム、または外部から取得された前記拡張ユニット（２１）用の故障検出プログラムを実行するステップと、
前記故障検出プログラムを実行した結果である前記拡張ユニット（２１）の故障診断結果を出力するステップと、をコンピュータに実行させる電子機器（１）の制御プログラム。
【００９６】
（付記１８）
前記電子機器（１）とネットワーク接続されたサーバ（３１）から前記故障検出プログラムを取得する、付記１７に記載の電子機器（１）の制御プログラム。
【００９７】
（付記１９）
前記電子機器（１）が受信した放送波から前記故障検出プログラムを取得する、付記１７に記載の電子機器（１）の制御プログラム。
【００９８】
（付記２０）
前記故障診断結果を、前記電子機器（１）の表示部（１８）、前記電子機器（１）の音声出力部（１９）、および前記電子機器（１）にネットワーク接続されたユーザサポートセンター（３２）のうち少なくともいずれかに出力する、付記１７に記載の電子機器（１）の制御プログラム。
【符号の説明】
【００９９】
１  電子機器
１０  メインユニット
１１  映像処理部
１２  制御部
１３  通信部
１４  受信部
１５  接続部
１８  表示部
１９  音声出力部
２１  拡張ユニット
３１  サーバ
３２  サポートセンター
【図１】
2015022435.tif 000003
【図２】
2015022435.tif 000004
【図３】
2015022435.tif 000005
【図４】
2015022435.tif 000006
【図５】
2015022435.tif 000007